(57)【要約】【課題】電流制限値を容易に設定し確認することのできる空気調和機及びその制御方法を提供することを目的とする。【解決手段】空気調和機１は、室外機３と、室外機３に接続された複数の室内機１１Ａ、１１Ｂと、を備え、室内機１１Ａ、１１Ｂは、電流制限値の変更指示が入力された場合に、変更後の電流制限値を室外機３へ送信する制限値処理部と、電流制限値を通知する通知部４と、を有し、室外機３は、室内機１１Ａ、１１Ｂから変更後の電流制限値を受信した場合に、変更後の電流制限値を変更指示が入力された室内機１１Ａ、１１Ｂ以外の室内機１１Ａ、１１Ｂへ送信する制限値処理部と、変更後の電流制限値に基づいて、通電電流を制限する電流制限部とを有する。【選択図】図１
2020094739.tif 000002
【特許請求の範囲】
【請求項１】
室外機と、
前記室外機に接続された複数の室内機と、
を備え、
前記室内機は、
電流制限値の変更指示が入力された場合に、変更後の前記電流制限値を前記室外機へ送信する制限値処理部と、
前記電流制限値を通知する通知部と、
を有し、
前記室外機は、
前記室内機から変更後の前記電流制限値を受信した場合に、変更後の前記電流制限値を前記変更指示が入力された前記室内機以外の前記室内機へ送信する制限値処理部と、
変更後の前記電流制限値に基づいて、通電電流を制限する電流制限部と、
を有する空気調和機。
【請求項２】
前記電流制限部は、前記通電電流が前記電流制限値を超えないように圧縮機の回転数を制御する請求項１に記載の空気調和機。
【請求項３】
前記室内機は、前記変更指示により入力された前記電流制限値または前記室外機から受信した前記電流制限値を記憶する記憶部を有する請求項１または２に記載の空気調和機。
【請求項４】
前記室外機は、前記室内機から送信された前記電流制限値を記憶する記憶部を有しており、
前記室内機における前記制限値処理部は、前記電流制限値の確認指示が入力された場合に、前記室外機へ前記電流制限値の要求信号を送信し、
前記室外機における前記制限値処理部は、前記要求信号を受信した場合に、前記要求信号を送信した前記室内機へ前記電流制限値を送信する請求項１から３のいずれか１項に記載の空気調和機。
【請求項５】
前記室内機における前記制限値処理部は、電流制限値設定モードが選択されている場合に前記変更指示を受け付ける請求項１から４のいずれか１項に記載の空気調和機。
【請求項６】
室外機と、前記室外機に接続された複数の室内機と、を備えた空気調和機の制御方法であって、
前記室内機側において、電流制限値の変更指示が入力された場合に、変更後の前記電流制限値を前記室外機へ送信する第１制限値処理工程と、
前記室外機側において、前記室内機から変更後の前記電流制限値を受信した場合に、変更後の前記電流制限値を前記変更指示が入力された前記室内機以外の前記室内機へ送信する第２制限値処理工程と、
前記室内機側において、前記電流制限値を通知する通知工程と、
前記室外機側において、変更後の前記電流制限値に基づいて、通電電流を制限する電流制限工程と、
を含む空気調和機の制御方法。
【発明の詳細な説明】
【技術分野】
【０００１】
本開示は、空気調和機及びその制御方法に関するものである。
【背景技術】
【０００２】
マルチ型の空気調和機では、１台の室外機に複数の室内機が接続されている。空気調和機が家庭や施設等に設置されると、他の装置（例えば家電等）と共通してブレーカが設定される場合がある。このため、ブレーカが落ちないように、空気調和機では電流制限が行われている。
【０００３】
例えば空気調和機では電流制限値が複数設定可能であり、室外機における基板上においてジャンパー線の接続状態を変更することにより設定されていた。しかしながら、室外機は室外のベランダや壁に据え付けられる場合があり、電流制限値の変更の作業性が悪かった。
【０００４】
特許文献１では、リモートコントローラによって電流制限指令を室内機へ送信し、電流制限指令が室外機へ送られることが開示されている。
【先行技術文献】
【特許文献】
【０００５】
【特許文献１】特開２００７−４６８７０号公報
【発明の概要】
【発明が解決しようとする課題】
【０００６】
ジャンパー線の接続状態を変更して電流制限値を設定する場合、設定されている電流制限値を確認するためには、室外機の筐体を開いてジャンパー線の接続状態を直接的に確認しなければない。このため、容易に電流制限値を確認することができなかった。
【０００７】
また、マルチ型の空気調和機では、室内機が複数設けられているが、特許文献１のように電流制限指令をある室内機へ送信したとしても、他の室内機においては電流制限値を確認することはできなかった。
【０００８】
本開示は、このような事情に鑑みてなされたものであって、電流制限値を容易に設定し確認することのできる空気調和機及びその制御方法を提供することを目的とする。
【課題を解決するための手段】
【０００９】
本開示の第１態様は、室外機と、前記室外機に接続された複数の室内機と、を備え、前記室内機は、電流制限値の変更指示が入力された場合に、変更後の前記電流制限値を前記室外機へ送信する制限値処理部と、前記電流制限値を通知する通知部と、を有し、前記室外機は、前記室内機から変更後の前記電流制限値を受信した場合に、変更後の前記電流制限値を前記変更指示が入力された前記室内機以外の前記室内機へ送信する制限値処理部と、変更後の前記電流制限値に基づいて、通電電流を制限する電流制限部と、を有する空気調和機である。
【００１０】
上記のような構成によれば、室内機において電流制限値の変更指示が入力された場合に変更後の電流制限値を前記室外機へ送信するため、電流制限値の変更を室内機側において行うことが可能となる。すなわち、電流制限値の変更を容易に行うことが可能となる。室外機では、室内機から受信した電流制限値に基づいて通電電流が制限される。
【００１１】
また、変更指示が入力された場合には、変更後の電流制限値が通知部によって通知されるため、室内機側において容易に電流制限値を確認することが可能となる。また、室外機では、室内機から電流制限値を受信すると、電流制限値を、変更指示が入力された室内機以外の室内機へ送信するため、他の室外機においても通知部によって電流制限値が通知される。このため、他の室外機においても電流制限値を容易に確認することが可能となる。
【００１２】
上記空気調和機において、前記電流制限部は、前記通電電流が前記電流制限値を超えないように圧縮機の回転数を制御することとしてもよい。
【００１３】
上記のような構成によれば、圧縮機の動作電力は空気調和装置における消費電力の大部分を占めるため、圧縮機の回転数を制御して電流制限を行うことで、効果的に通電電流を制御することが可能となる。
【００１４】
上記空気調和機において、前記室内機は、前記変更指示により入力された前記電流制限値または前記室外機から受信した前記電流制限値を記憶する記憶部を有することとしてもよい。
【００１５】
上記のような構成によれば、各室内機において、記憶部を設け、変更指示により入力された前記電流制限値または室外機から受信した電流制限値を記憶することで、変更指示が入力された室内機であっても、その他の室内機であっても、同一の電流制限値に係る情報を保持することができる。すなわち、各室内機に保有される電流制限値を統一化することができる。
【００１６】
上記空気調和機において、前記室外機は、前記室内機から送信された前記電流制限値を記憶する記憶部を有しており、前記室内機における前記制限値処理部は、前記電流制限値の確認指示が入力された場合に、前記室外機へ前記電流制限値の要求信号を送信し、前記室外機における前記制限値処理部は、前記要求信号を受信した場合に、前記要求信号を送信した前記室内機へ前記電流制限値を送信することとしてもよい。
【００１７】
上記のような構成によれば、室内機において電流制限値の確認指示が入力された場合には、室内機において室外機から電流制限値を取得することができる。例えば、室内機の使用者等は、室内機に確認指示を入力することでいつでも電流制限値を確認することができる。
【００１８】
上記空気調和機において、前記室内機における前記制限値処理部は、電流制限値設定モードが選択されている場合に前記変更指示を受け付けることとしてもよい。
【００１９】
上記のような構成によれば、変更指示を電流制限値設定モードが選択されている場合に受け付けるため、誤入力によって電流制限値の変更されてしまうことを防止することができる。
【００２０】
本開示の第２態様は、室外機と、前記室外機に接続された複数の室内機と、を備えた空気調和機の制御方法であって、前記室内機側において、電流制限値の変更指示が入力された場合に、変更後の前記電流制限値を前記室外機へ送信する第１制限値処理工程と、前記室外機側において、前記室内機から変更後の前記電流制限値を受信した場合に、変更後の前記電流制限値を前記変更指示が入力された前記室内機以外の前記室内機へ送信する第２制限値処理工程と、前記室内機側において、前記電流制限値を通知する通知工程と、前記室外機側において、変更後の前記電流制限値に基づいて、通電電流を制限する電流制限工程と、を含む空気調和機の制御方法である。
【発明の効果】
【００２１】
本開示によれば、電流制限値を容易に設定し確認することができるという効果を奏する。
【図面の簡単な説明】
【００２２】
【図１】本開示の一実施形態に係る空気調和機の概略構成を示す図である。
【図２】本開示の一実施形態に係る空気調和機の冷媒回路を示す図である。
【図３】本開示の一実施形態に係る空気調和機における室外機制御部及び室内機制御部が備える機能を示した機能ブロック図である。
【図４】本開示の一実施形態に係る空気調和機による電流制限値設定処理のフローチャートを示した図である。
【発明を実施するための形態】
【００２３】
以下に、本開示に係る空気調和機及びその制御方法一実施形態について、図面を参照して説明する。
図１は、本開示の一実施形態に係る空気調和機１の概略構成を示す図である。図１に示すように、本実施形態に係る空気調和機１は、室外機３と、室内機１１とを主な構成として備えている。本実施形態では、図１に示すように、１台の室外機３に対して２台の室内機１１が接続される場合について説明するが、室内機１１の台数については上記構成に限定されない。なお、以下の説明において、各室内機１１を区別する場合には、室内機１１Ａ、室内機１１Ｂと記載し、区別しない場合には単に室内機１１と記載する。
【００２４】
室外機３は、例えば、施設等の室外に配置され、後述する冷媒回路を流通する冷媒と外気との間で熱交換を行う。室外機３において熱交換が行われた冷媒は、冷媒回路を通じて各室内機１１へ供給される。
【００２５】
室内機１１は、例えば、施設等の室内に配置され、後述する冷媒回路を流通する冷媒と室内空気との間で熱交換を行う。室内機１１において熱交換が行われた冷媒は、冷媒回路を通じて室外機３へ供給される。本実施形態では、室内機１１を２台備える場合について説明する。そして、各室内機１１は、それぞれ異なる部屋に配置されるものとする。
【００２６】
１台の室外機３に接続される室内機１１の台数については、２台以上であれば適宜変更することが可能である。また、本実施形態では、各室内機１１はそれぞれ異なる部屋に配置されることとしているが、複数台の室内機１１が同じ部屋に配置されることとしてもよい。
【００２７】
図１に示すように、室内機１１の使用者（対応する部屋にいる人）は、リモコン２を用いて室内機１１へ運転指令を送信することが可能である。リモコン２は、各室内機１１に対応して配置される。すなわち、使用者は、リモコン２を用いて室内機１１に指令を送信することで、空気調和機１の制御が可能とされる。
【００２８】
本実施形態では、リモコン２を用いて、通常モードと電流制限値設定モードとの切り替え、及び電流制限値の設定（変更指示）を行うことが可能である。通常モードとは、空気調和機１に冷房や暖房等の各種空調動作を行わせるモード（電流制限値の設定を行わず、通常の空調機動作を行うモード）である。電流制限値設定モードとは、空気調和機１における電流制限値の設定を行うモードである。空気調和機１では、他の装置と共通した電源系統から電力が供給されており、このような電源系統にはブレーカ（配線用遮断器）が設置される。なお、ブレーカについては、安全ブレーカや、アンペアブレーカなど様々なブレーカとすることができる。すなわち、空気調和機１で電力を使用しすぎると電源系統に流れる電流が過多となりブレーカが落ちてしまう（配線用遮断器が開となり電流の流通が遮断される）。このため、空気調和装置には、通電電流を制限する電流制限値が設定されている。例えばアンペアブレーカの場合には、契約電流の変更に伴って空気調和機１の電流制限値も変更される。本実施形態に係る空気調和機１では、リモコン２によって室内機１１から電流制限値を変更できるため、利便性がよい。
【００２９】
なお、本実施形態では、リモコン２を用いて室内機１１に指令を送信することとしているが、室内機１１に設けられた操作ボタン等によって、通常モードと電流制限値設定モードとの切り替えや、電流制限値の設定を行うこととしてもよい。また、１つの室内機１１において電流制限値設定モードへの切り替え指令があった場合には、他の室内機１１も電流制限値設定モードへ切り替わることとしてもよい。
【００３０】
また、室内機１１には、電流制限値を通知する通知部４が設けられている。通知部４は、室内機１１において使用者が視認可能な位置に設けられたランプ（例えばＬＥＤ）である。電流制限値設定モードが選択されると、通知部４が現在設定されている電流制限値の値に対応した回数だけ点滅する。例えば、電流制限値がＡアンペアの場合には、Ａアンペアに対応して予め設定されたａ回だけ通知部４が点滅する。このようにして、室内機１１側で電流制限値を確認することができる。
【００３１】
なお、ランプについては、室内機１１の電源ランプ等のランプ（通常モード時に点滅せず、点灯または消灯しているランプ）と併用することも可能である。通知部４については、例えばディスプレイやスピーカなど、使用者に電流制限値を認識させることができればランプに限定されない。
【００３２】
次に、空気調和機１における冷媒回路について図を用いて説明する。
図２には、本実施形態に係る空気調和機（マルチ形空気調和装置）１の冷媒回路図が示されている。空気調和機１は、１台の室外機３と、ガス側配管５及び液側配管７間に分岐器９を介して並列に接続されている複数台の室内機１１Ａ、１１Ｂと、から構成されている。なお、図２に示す冷媒回路は一例であり、マルチ型の空気調和機１を構成する冷媒回路であれば図２に示す構成に限定されない。
【００３３】
室外機３は、冷媒を圧縮するインバータ駆動の圧縮機１３と、圧縮機１３において発生する振動音を抑制するマフラ（消音装置）１５と、冷媒の循環方向を切り換える四方切換弁１７と、冷媒と外気とを熱交換させる室外熱交換器１９と、液冷媒を貯留するレシーバ２５と、膨張弁（ＥＥＶ）４９と、液冷媒に含まれるごみ（固形物）を取り除くストレーナ２１と、圧縮機１３に吸入される冷媒ガスから液分を分離し、ガス分のみを圧縮機１３に吸入させるアキュムレータ３１と、ガス側操作弁３３と、液側操作弁３５と、を備えている。
【００３４】
室外機３側の上記各機器は、吐出配管３７Ａ、ガス配管３７Ｂ、液配管３７Ｃ、及び吸入配管３７Ｅ等の冷媒配管を介して公知の如く接続され、室外側冷媒回路３９を構成している。
また、室外機３には、室外熱交換器１９に対して外気を送風する室外ファン４１が設けられている。
【００３５】
ガス側配管５及び液側配管７は、分岐器９を介して室外機３のガス側操作弁３３及び液側操作弁３５に接続される冷媒配管である。ガス側配管５及び液側配管７の途中には、適宜数の分岐器９が設けられ、この分岐器９を介してそれぞれ適宜台数の室内機１１Ａ、１１Ｂが接続されている。これによって、密閉された１系統の冷凍サイクル４５が構成されている。
【００３６】
室内機１１Ａ、１１Ｂは、冷媒と室内空気とを熱交換させて室内の空調に供する室内熱交換器４７と、室内熱交換器４７を通して室内空気を循環させる室内ファン５１と、を備えており、室内側の分岐ガス側配管５Ａ、５Ｂ及び分岐液側配管７Ａ、７Ｂを介して分岐器９に接続されている。分岐ガス側配管５Ａ、５Ｂには、室外機３側においてガス側操作弁３３が接続されている。分岐液側配管７Ａ、７Ｂには、室外機３側において液側操作弁３５が接続されている。
【００３７】
上記空気調和機１において、冷房運転は、以下のように行われる。
圧縮機１３で圧縮された高温高圧の冷媒ガスは、吐出配管３７Ａに吐出され、マフラ１５を介して四方切換弁１７に供給される。
その後、冷媒ガスは、四方切換弁１７によりガス配管３７Ｂ側に循環され、室外熱交換器１９で室外ファン４１により送風される外気と熱交換されて凝縮液化される。
この液冷媒は、液配管３７Ｃを介してレシーバ２５にいったん貯留される。
【００３８】
レシーバ２５で循環量が調整された液冷媒は、液側配管７を介して分岐器９で分岐され、膨張弁４９で断熱膨張される。
この液冷媒は、ストレーナ２１及び液側操作弁３５を経て室外機３から導出され、各室内機１１Ａ、１１Ｂへ供給される。
【００３９】
分岐液側配管７Ａ、７Ｂに分流された液冷媒は、各室内機１１Ａ、１１Ｂに流入し、気液二相流となって室内熱交換器４７へと流入される。
室内熱交換器４７では、室内ファン５１により循環される室内空気と冷媒とが熱交換され、室内空気は冷却されて室内の冷房に供される。一方、冷媒はガス化され、分岐ガス側配管５Ａ、５Ｂ及びガス側操作弁３３を経て分岐器９に至り、他の室内機１１からの冷媒ガスと合流される。
【００４０】
ガス側配管５で合流された冷媒ガスは、四方切換弁１７を経て吸入配管３７Ｅに至り、アキュムレータ３１に導入される。
アキュムレータ３１では、冷媒ガス中に含まれている液分が分離され、ガス分のみが圧縮機１３へと吸入される。
この冷媒は、圧縮機１３において再び圧縮され、以上のサイクルを繰り返すことによって冷房運転が行われる。
【００４１】
一方、暖房運転は、以下のように行われる。
圧縮機１３により圧縮された高温高圧の冷媒ガスは、吐出配管３７Ａに吐出され、マフラ１５を介して四方切換弁１７に供給された後、四方切換弁１７によりガス側配管５側に循環される。
この冷媒は、分岐器９、ガス側操作弁３３を経て室外機３から導出され、室内側の分岐ガス側配管５Ａ、５Ｂを経て室内機１１Ａ、１１Ｂへと導入される。
【００４２】
室内機１１Ａ、１１Ｂに導入された高温高圧の冷媒ガスは、室内熱交換器４７で室内ファン５１を介して循環される室内空気と熱交換され、室内空気は加熱されて室内の暖房に供される。
室内熱交換器４７で凝縮された液冷媒は、分岐液側配管７Ａ、７Ｂを経て室外機３に戻される。
【００４３】
室外機３に戻った冷媒は、液側操作弁３５、ストレーナ２１、膨張弁４９経てレシーバ２５に流入され、いったん貯留されることにより循環量が調整される。
この液冷媒は、液配管３７Ｃを介して室外熱交換器１９へと流入される。
【００４４】
室外熱交換器１９では、室外ファン４１から送風される外気と冷媒とが熱交換され、冷媒は外気から吸熱して蒸発ガス化される。
この冷媒は、室外熱交換器１９からガス配管３７Ｂ、四方切換弁１７、吸入配管３７Ｅを経てアキュムレータ３１に導入される。アキュムレータ３１では、冷媒ガス中に含まれている液分が分離されてガス分のみが圧縮機１３へと吸入され、圧縮機１３において再び圧縮される。以上のサイクルを繰り返すことによって暖房運転が行われる。
【００４５】
次に、空気調和機１に係る制御について図面を参照して説明する。
図３は、空気調和機１における室内機制御部５４及び室外機制御部５３が備える機能を示した機能ブロック図である。図３に示すように、空気調和機１において、室外機３には室外機制御部５３が設けられ、室内機１１Ａ、１１Ｂには各々室内機制御部５４が設けられている。
【００４６】
室外機制御部５３及び室内機制御部５４は、例えば、図示しないＣＰＵ（中央演算装置）、ＲＡＭ（Ｒａｎｄｏｍ  Ａｃｃｅｓｓ  Ｍｅｍｏｒｙ）等のメモリ、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。なお、プログラムは、ＲＯＭやその他の記憶媒体に予めインストールしておく形態や、コンピュータ読み取り可能な記憶媒体に記憶された状態で提供される形態、有線または無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４７】
室内機制御部５４は、電流制限値の変更指示を受け付け、室外機３に電流制限値を送信する。また、室内機制御部５４は、電流制限値を通知する。このため、室内制御部は、制限値処理部（室内機制限値処理部）６３と、記憶部（室内機記憶部）６４と、を有している。
【００４８】
制限値処理部６３は、電流制限値の変更指示が入力された場合に、変更後の電流制限値を室外機３へ送信する。なお、制限値処理部６３は、電流制限値設定モードが選択されている場合に変更指示を受け付ける。
【００４９】
使用者は、リモコン２によって電流制限値設定モードを選択すると、制限値処理部６３は、電流制限値の変更指示を受け付ける。電流制限値の変更指示とは、電流制限値設定モードが選択されている状態において、新たな電流制限値（変更後の電流制限値）がリモコン２等を介して入力されることである。制限値処理部６３は、新たな電流制限値が入力されると、新たな電流制限値を室外機３へ送信する。後述するように、電流制限値は室外機３において電流制限制御に用いられる。制限値処理部６３は、電流制限値の変更指示を受け付けた場合に、通知部４に変更後の電流制限値を通知させることとしてもよい。
【００５０】
記憶部６４は、変更指示により入力された電流制限値または室外機３から受信した電流制限値を記憶する。室内機１１には、電流制限値の変更指示によって新たな電流制限値が入力される。また、後述するように、室内機１１には、他の室内機１１において電流制限値の変更指示があった場合に、室外機３を介して変更後の電流制限値が入力される。このため、記憶部６４では、電流制限値の変更指示によって新たな電流制限値が入力された場合、及び他の室内機１１において電流制限値の変更指示があり室外機３を介して変更後の電流制限値が入力された場合のいずれにおいても、変更後の電流制限値が記憶部６４に記憶される。すなわち、複数の室内機１１のうちどの室内機１１に電流制限値の変更指示が入力されたとしても、変更指示の入力がされていない室内機１１も変更後の電流制限値を保有することができる。このように、各室内機１１において電流制限値が共有（統一化）される。
【００５１】
記憶部６４に記憶された電流制限値は、電流制限値設定モードが選択された場合に読み出され、通知部４において通知される。
【００５２】
なお、本実施形態では、室内機１１は記憶部６４を有する構成としているが、記憶部６４を有さない構成とすることも可能である。この場合には、室内機１１側において設定されている電流制限値を確認可能なように、室外機３から電流制限値を読み出すことが可能な構成とすることが好ましい。すなわち、室内機１１における制限値処理部６３は、電流制限値の確認指示が入力された場合に、室外機３へ電流制限値の要求信号を送信し、室外機３における制限値処理部６０は、要求信号を受信した場合に、要求信号を送信した室内機１１へ電流制限値を送信することとすることが好ましい。なお、電流制限値の確認指示とは、リモコン２等によって室内機１１に入力される電流制限値設定モードの選択指示であってもよいし、電流制限値を確認するための入力手段をリモコン２や室内機１１に設け、該入力手段が操作されることにより入力される指示（確認指示）であってもよい。
【００５３】
このように、室内機１１側において、室外機３に対する電流制限値の取得要求機能を付加して、室外機３から電流制限値を取得可能な構成とすることも可能である。この場合には、室内機１１は記憶部６４を有さなくてもよいし、記憶部６４を有し取得した電流制限値を記憶することとしてもよい。
【００５４】
室外機制御部５３は、室内機１１から変更後の電流制限値を受信し、電流制限制御を行うとともに、変更後の電流制限値を各室内機１１へ送信する。このため、室外機制御部５３は、制限値処理部（室外機制限値処理部）６０と、電流制限部６１と、記憶部（室外機記憶部）６２と、を有している。
【００５５】
制限値処理部６０は、室内機１１から変更後の電流制限値を受信した場合に、変更後の電流制限値を変更指示が入力された室内機１１以外の室内機１１へ送信する。室外機３において、受信した電流制限値は電流制限処理に用いられるが、各室内機１１において変更後の電流制限値を通知可能なように、変更後の電流制限値を変更指示が入力された室内機１１以外の室内機１１へ送信する。例えば、室内機１１Ａに電流制限値を変更指示が入力された場合には、室内機１１Ａから変更後の電流制限値が室外機３へ送信され、室外機３は、変更指示が入力されていない室内機１１Ｂへ、受信した電流制限値を送信する。
【００５６】
なお、変更指示が入力された室内機１１を含むすべての室内機１１に変更後の電流制限値を送信することとしてもよいし、変更後の電流制限値を変更指示が入力された室内機１１以外の特定の室内機１１へ変更後の電流制限値を送信することとしてもよい。
【００５７】
制限値処理部６０によって変更後の電流制限値が送信されると、室内機１１では、受信した電流制限値を記憶部６２に記憶する。なお、変更後の電流制限値を受信した場合に、電流制限値を通知部４により通知することとしてもよい。
【００５８】
電流制限部６１は、変更後の電流制限値に基づいて、通電電流を制限する。このために、電流制限部６１は、通電電流が電流制限値を超えないように圧縮機１３の回転数を制御する。空気調和機１の消費電力において、大部分を圧縮機１３の消費電力が占める。このため、圧縮機１３の消費電力を制御することによって、効率的に空気調和機１の消費電力の調整を行うことができる。
【００５９】
具体的には、電流制限部６１は、設定された電流制限値に基づいて圧縮機１３の最大回転数を設定し、圧縮機１３の回転数が最大回転数を超えないように制御する。圧縮機１３の最大回転数は、空気調和装置に流れる電流が電流制限値を超えないと推定される圧縮機１３の最大の回転数であり、予め実験等によって電力制限値毎に設定される。すなわち、圧縮機１３の回転数が最大回転数に達しなければ、空気調和機１の通電電流は、電流制限値に達しないということとなる。
【００６０】
なお、電流制限部６１における電流制限制御については、上記に限定されず適用可能である。例えば、空気調和機１に通電する電流（圧縮機１３に通電する電流でもよい）を検出し、検出した電流に基づいて圧縮機１３の回転数の制御を行うこととしてもよい（フィードバック制御）。
【００６１】
記憶部６２は、室内機１１から送信された電流制限値を記憶する。すなわち、記憶部６２では、電流制限値の変更指示が入力された室内機１１から受信した電流制限値が記憶される。そして、電流制限部６１において電流制限制御が行われる場合には、記憶部６２から電流制限値が読み出されて使用される。
【００６２】
なお、室外機３は、室内機１１から変更後の電流制限値を受信した場合に、変更後の電流制限値を変更指示が入力された室内機１１以外の室内機１１へ送信するため、室外機３及び各室内機１１においては、電流制限値を統一することができる。また、室外機３においても通知手段を設け、設定されている電流制限値を通知できるようにしてもよい。
【００６３】
次に、上述の空気調和機１による電流制限値設定処理について図４を参照して説明する。図４に示すフローは、室内機１１の電源が入っている状態において所定の制御周期で繰り返し実行される。
【００６４】
まず、電流制限値設定モードが選択されたか否かを判定する（Ｓ１０１）。電流制限値設定モードが選択されない場合（Ｓ１０１のＮＯ判定）には、再度Ｓ１０１が実行される。
【００６５】
電流制限値設定モードが選択された場合（Ｓ１０１のＹＥＳ判定）には、リモコン２等から電流制限値が入力されたか否かを判定する（Ｓ１０２）。リモコン２等から電流制限値が入力されていない場合（Ｓ１０２のＮＯ判定）には、再度Ｓ１０２が実行される。
【００６６】
リモコン２等から電流制限値が入力された場合（Ｓ１０２のＹＥＳ判定）には、入力された電流制限値を室外機３へ送信する（Ｓ１０３）。
【００６７】
次に、室外機３において電流制限値を受信すると、受信した電流制限値を変更指示が入力された室内機１１以外の室内機１１へ送信する（Ｓ１０４）。電流制限値を受信した各室内機１１は、通知部４によって電流制限値を通知することとしてもよい。
【００６８】
なお、電流制限値設定モードが選択された後の処理（Ｓ１０１のＹＥＳ判定後の処理）において、リモコン２等により電流制限値設定モードから通常モードへの切り替えが指示された場合には、処理を中断して終了する。
【００６９】
このように、室外機３では、変更指示が入力された室内機１１以外の室内機１１に対しても、変更後の電流制限値を送信するため、各室内機１１において同じ電流制限値を保有することができる。変更指示が入力された室内機１１以外の室内機１１でも、現在設定されている電流制限値を容易に確認することができる。
【００７０】
なお、本実施形態では、室内機１１及び室外機３は記憶部６２、６４を備える構成としているが、室内機１１及び室外機３を統合的に制御する制御装置等の室内機１１及び室外機３とは独立した装置に記憶部６２、６４を備える構成としてもよい。
【００７１】
以上説明したように、本実施形態に係る空気調和機及びその制御方法によれば、室内機１１において電流制限値の変更指示が入力された場合に変更後の電流制限値を前記室外機３へ送信するため、電流制限値の変更を室内機１１側において行うことが可能となる。すなわち、電流制限値の変更を容易に行うことが可能となる。
【００７２】
また、変更指示が入力された場合に、変更後の電流制限値が通知部４によって通知されるため、室内機１１側において容易に電流制限値を確認することが可能となる。また、室外機３では、室内機１１から電流制限値を受信すると、電流制限値を、変更指示が入力された室内機１１以外の室内機１１へ送信するため、他の室内機１１においても通知部４によって電流制限値が通知される。このため、他の室内機１１においても電流制限値を容易に確認することが可能となる。
【００７３】
また、圧縮機１３の動作電力は空気調和装置における消費電力の大部分を占めるため、圧縮機１３の回転数を制御して電流制限を行うことで、効果的に通電電流を制御することが可能となる。
【００７４】
また、各室内機１１において、記憶部６４を設け、変更指示により入力された前記電流制限値または室外機３から受信した電流制限値を記憶することで、変更指示が入力された室内機１１であっても、その他の室内機１１であっても、同一の電流制限値に係る情報を保持することができる。すなわち、各室内機１１に保有される電流制限値を統一化することができる。
【００７５】
また、室内機１１において電流制限値の確認指示が入力された場合には、室内機１１において室外機３から電流制限値を取得することも可能となる。例えば、室内機１１の使用者等は、室内機１１に確認指示を入力することでいつでも電流制限値を確認することができる。
【００７６】
本開示は、上述の実施形態のみに限定されるものではなく、発明の要旨を逸脱しない範囲において、種々変形実施が可能である。
【符号の説明】
【００７７】
１      ：空気調和機
２      ：リモコン
３      ：室外機
４      ：通知部
５      ：ガス側配管
５Ａ、５Ｂ：分岐ガス側配管
７      ：液側配管
７Ａ、７Ｂ：分岐液側配管
９      ：分岐器
１１、１１Ａ、１１Ｂ：室内機
１３    ：圧縮機
１５    ：マフラ
１７    ：四方切換弁
１９    ：室外熱交換器
２１    ：ストレーナ
２５    ：レシーバ
３１    ：アキュムレータ
３３    ：ガス側操作弁
３５    ：液側操作弁
３７Ａ  ：吐出配管
３７Ｂ  ：ガス配管
３７Ｃ  ：液配管
３７Ｅ  ：吸入配管
３９    ：室外側冷媒回路
４１    ：室外ファン
４５    ：冷凍サイクル
４７    ：室内熱交換器
４９    ：膨張弁
５１    ：室内ファン
５３    ：室外機制御部
５４    ：室内機制御部
６０    ：制限値処理部
６１    ：電流制限部
６２    ：記憶部
６３    ：制限値処理部
６４    ：記憶部
【図１】
2020094739.tif 000003
【図２】
2020094739.tif 000004
【図３】
2020094739.tif 000005
【図４】
2020094739.tif 000006